【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
複数のインターフェースと、
画像信号に応じた第１の画像を表示面に表示する表示部と、
前記表示面に対する指示体の位置を検出し、前記指示体の位置を示す位置情報を生成する検出部と、
前記複数のインターフェースのうち前記画像信号が入力される第１のインターフェースと、前記複数のインターフェースのうち前記位置情報を出力する第２のインターフェースとの対応付けを記憶可能な記憶部と、
前記第１のインターフェースに入力される前記画像信号に応じた前記第１の画像を前記表示部が表示しており、且つ、前記第１のインターフェースと前記第２のインターフェースとの対応付けが前記記憶部に記憶されている場合に、前記検出部が前記指示体の位置を検出すると、前記第２のインターフェースに前記位置情報を出力させ、
前記第１のインターフェースに入力される前記画像信号に応じた前記第１の画像を前記表示部が表示しており、且つ、前記第１のインターフェースと前記第２のインターフェースとの対応付けが前記記憶部に記憶されていない場合に、前記検出部が前記指示体の位置を検出した後、前記位置情報を出力するインターフェースを特定する処理を実行する制御部と、
を有することを特徴とする表示装置。
【請求項２】
前記制御部は、前記処理において、前記第１のインターフェースに対応した前記第２のインターフェースの候補となるインターフェースを少なくとも選択の対象とする第２の画像を前記表示部に表示させ、候補となるインターフェースのうち一つのインターフェースが選択されると、当該一つのインターフェースを前記第２のインターフェースとして、前記第１のインターフェースと当該第２のインターフェースとの対応付けを前記記憶部に記憶させる、請求項１に記載の表示装置。
【請求項３】
前記制御部は、前記処理において、前記候補となるインターフェースに加えて出力先無しを選択の対象とする前記第２の画像を前記表示部に表示させ、前記出力先無しが選択されると、前記第１のインターフェースと前記出力先無しとの対応付けを前記記憶部に記憶させる、請求項２に記載の表示装置。
【請求項４】
前記制御部は、前記処理において、前記第１のインターフェースに対応する前記第２のインターフェースの候補となるインターフェースが一意に定まる場合、前記第２の画像を表示させることなく、一意に定まるインターフェースを前記第２のインターフェースとし、前記第１のインターフェースと前記第２のインターフェースとの対応付けを前記記憶部に記憶させる、ことを特徴とする請求項２又は３に記載の表示装置。
【請求項５】
前記第１のインターフェースと外部装置とが接続され、前記第１のインターフェースと前記第２のインターフェースとの対応付けが前記記憶部に記憶されている場合に、
前記制御部は、前記第１のインターフェースと前記外部装置とが非接続になると、前記記憶部に記憶された前記第１のインターフェースと前記第２のインターフェースとの対応付けを解除することを特徴とする請求項１乃至３のいずれか一項に記載の表示装置。
【請求項６】
前記第１のインターフェースと外部装置とが接続され、前記第１のインターフェースと前記第２のインターフェースとの対応付けが前記記憶部に記憶されている場合に、
前記制御部は、前記外部装置から前記画像信号が所定時間継続して、前記第１のインターフェースに入力されないと、前記記憶部に記憶された前記第１のインターフェースと前記第２のインターフェースとの対応付けを解除することを特徴とする請求項１乃至３のいずれか一項に記載の表示装置。
【請求項７】
前記第２のインターフェースと外部装置とが接続され、前記第１のインターフェースと前記第２のインターフェースとの対応付けが前記記憶部に記憶されている場合に、
前記制御部は、前記第２のインターフェースと前記外部装置とが非接続になると、前記記憶部に記憶された前記第１のインターフェースと前記第２のインターフェースとの対応付を解除することを特徴とする請求項１乃至３のいずれか一項に記載の表示装置。
【請求項８】
前記制御部は、前記位置情報を出力するモードと、前記位置情報に基づいて前記表示面に描画するモードとを切り換える、
ことを特徴とする請求項１乃至７のうちいずれか一項に記載の表示装置。
【請求項９】
画像信号に応じた第１の画像が表示される表示面における指示体の位置を示す位置情報を取得し、
複数のインターフェースのうち前記画像信号が入力される第１のインターフェースと、前記複数のインターフェースのうち前記位置情報を出力する第２のインターフェースとの対応付けを記憶し、
前記第１のインターフェースに入力される前記画像信号に応じた前記第１の画像を前記表示部が表示しており、且つ、前記第１のインターフェースと前記第２のインターフェースとの対応付けが記憶されている場合に、前記指示体の位置を取得した後、前記第２のインターフェースに前記位置情報を出力し、
前記第１のインターフェースに入力される前記画像信号に応じた前記第１の画像を前記表示部が表示しており、且つ、前記第１のインターフェースに対応した前記第２のインターフェースが前記記憶部に記憶されていない場合に、前記指示体の位置を取得した後、前記位置情報を出力するインターフェースを特定する処理を実行する、
ことを特徴とする表示装置の制御方法。
【手続補正２】
【補正対象書類名】明細書
【補正対象項目名】００３１
【補正方法】変更
【補正の内容】
【００３１】
ＵＳＢ１端子２５及びＵＳＢ２端子２６は、ＵＳＢ規格に準拠した端子である。例えばＵＳＢケーブルを用いてプロジェクター１０とＰＣ等とを接続することにより、プロジェクター１０とＰＣ等との間でデジタルの画像信号及び音声信号等のデータ信号の入出力が可能である。ＬＡＮ端子２７は、ＬＡＮケーブルを接続可能な端子である。ＬＡＮケーブルによりプロジェクター１０とＰＣ等とを接続することにより、デジタルの画像信号及び音声信号等のデータ信号の入出力が可能である。
【手続補正３】
【補正対象書類名】明細書
【補正対象項目名】００４６
【補正方法】変更
【補正の内容】
【００４６】
本実施形態では、表示部７０により表示させる画像に対応する画像信号を、Ｉ／Ｆ部２０のいずれのインターフェースから入力するのかを切り換えるために、操作パネル８１及びリモコンに、入力切換ボタンが設けられている。入力切換ボタンが押下される毎に、入力切換ボタンが押下されたことを示す操作データＤ４が、入力部８０から制御部３０に出力される。制御部３０は、入力切換ボタンが押下されたことを示す操作データＤ４を入力する毎に、画像信号を入力するインターフェースを順次切り換える処理を行う。例えば、プロジェクター１０が操作モードで動作している場合には、入力切換ボタンが押下される毎に、次のような順序でインターフェースが切り換えられる。Ｄ−ｓｕｂ端子２２→ＨＤＭＩ１端子２３→ＨＤＭＩ２端子２４→ＵＳＢ１端子２５→ＵＳＢ２端子２６→ＬＡＮ端子２７→無線ＬＡＮユニット端子２１→Ｄ−ｓｕｂ端子２２。なお、ＬＡＮ端子２７及び無線ＬＡＮユニット端子２１を介して複数のＰＣが接続され、それぞれのＰＣから画像信号が出力される場合には、ＩＰアドレスごとに画像信号の入力元を切り換えるようになっている。
【手続補正４】
【補正対象書類名】明細書
【補正対象項目名】００５９
【補正方法】変更
【補正の内容】
【００５９】
入力元情報のインターフェース名が、位置情報ＰＳを出力可能なインターフェースでない場合、制御部３０は、管理テーブルＴＢＬを参照して、入力元情報のインターフェース名が位置情報ＰＳを出力可能なインターフェースを示し、表示情報が「非表示」、接続状態情報が「接続中」、入力状態情報が「信号無し」、出力先情報が「Ｎｕｌｌ」を示すレコードを抽出し、抽出したレコードの入力元情報で特定されるインターフェースを、第２のインターフェースの候補として、特定する。例えば、図５に示す管理テーブルＴＢＬにおいて、仮に、レコードの出力先情報が「Ｎｕｌｌ」を示す場合を想定すると、ＵＳＢ１端子とＩＰアドレス１とが第２のインターフェースの候補となるインターフェースとなる。
【手続補正５】
【補正対象書類名】明細書
【補正対象項目名】００６０
【補正方法】変更
【補正の内容】
【００６０】
即ち、第２のインターフェースの候補となるインターフェースの特定は、表示中の画像信号を入力するインターフェースが、位置情報ＰＳを出力可能なインターフェースである場合は、これを優先して、第１のインターフェースと第２のインターフェースとを一致させる。一方、表示中の画像信号を入力するインターフェースが、位置情報ＰＳを出力可能なインターフェースでない場合は、位置情報ＰＳを出力可能なインターフェースの中から抽出することになる。そして、接続状態情報が「接続中」を条件としたのは、「非接続」であれば、位置情報ＰＳを出力できないからである。また、入力状態情報が「信号無し」を条件としたのは、入力状態情報が「信号有り」の場合は、当該インターフェースに画像信号が入力されており、位置情報ＰＳを出力できないからである。
【手続補正６】
【補正対象書類名】明細書
【補正対象項目名】００６２
【補正方法】変更
【補正の内容】
【００６２】
図７は、出力先確認画像４００の一例を示す図である。図７に示すように、出力先確認画像４００には、「位置情報の出力先が複数存在します。出力先を選択してください。」というメッセージが含まれている。このメッセージは画像データＧＤに基づいて生成される。また、図７に示すように、出力先確認画像４００には、「ＵＳＢ１端子」と表示された選択ボタン４０１、「ＩＰアドレス１」と表示された選択ボタン４０２、「ＩＰアドレス２」と表示された選択ボタン４０３、及び「出力先無し」と表示された選択ボタン４０４が含まれる。このように、管理テーブルＴＢＬに第１のインターフェースと第２のインターフェースの対応付けが記憶されていない場合には、当該第２のインターフェースの候補となるインターフェースを選択の対象とする出力先確認画像４００をスクリーンＳＣに表示させる。当該第２のインターフェースの候補となるインターフェースとは、言い換えると位置情報ＰＳの出力が可能なインターフェースである。ここで、当該第２のインターフェースの候補として、位置情報ＰＳの出力が可能なインターフェースであって、且つ、外部装置と接続中のインターフェースを表示し、位置情報ＰＳの出力が可能なインターフェースであって、且つ、外部装置と接続されていないインターフェースは表示しないようにしてもよい。なお、「出力先無し」を選択の対象としているのは、プロジェクター１０を操作モードで動作させている場合であっても、ＰＣの画像のみをスクリーンＳＣに表示させ、指示体９０による操作は行わないという使用態様が存在するためである。
【手続補正７】
【補正対象書類名】明細書
【補正対象項目名】００６７
【補正方法】変更
【補正の内容】
【００６７】
まず、制御部３０は、接続先確認画面による位置情報ＰＳの出力先の設定又は出力先の自動設定があったか否かを判定する（Ｓ１００）。この判定結果が肯定である場合（Ｓ１００：ＹＥＳ）、制御部３０は管理テーブルＴＢＬに対して出力先情報を設定する（Ｓ１１０）。出力先情報の設定の詳細は、図６を参照して説明したステップＳ６０の処理である。
【手続補正８】
【補正対象書類名】明細書
【補正対象項目名】００７０
【補正方法】変更
【補正の内容】
【００７０】
この後、制御部３０は、入力状態が「信号有り」から「信号無し」に変化したか否かを判定する（Ｓ１６０）。入力状態が「信号有り」から「信号無し」に変化した場合（Ｓ１６０：ＹＥＳ）、制御部３０は、入力状態が変化したインターフェースについて、タイマーの計時を開始する（Ｓ１８０）。この際、制御部３０は、タイマーの計測時間をクリアして、ゼロから計時を開始する。一方、入力状態が「信号無し」から「信号有り」に変化した場合（Ｓ１６０：ＮＯ）、制御部３０は、入力状態が変化したインターフェースについて、タイマーの計測時間をクリアする（Ｓ１７０）。これにより、インターフェースごとに画像信号の入力が停止している時間を知ることができる。
【手続補正９】
【補正対象書類名】明細書
【補正対象項目名】００９３
【補正方法】変更
【補正の内容】
【００９３】
ここで、利用者が、出力先確認画像４００の「出力先無し」と表示された選択ボタン４０４を指示体９０で選択すると、制御部３０は、管理テーブルＴＢＬのレコードＲ１において、出力先情報に「出力先無し」を記憶させる（図６のＳ６０）。この結果、管理テーブルＴＢＬのレコードＲ１の記憶内容は、図１８に示すものとなる。なお、図１８において、斜線部分が図１５に示す管理テーブルＴＢＬの記憶内容と相違する部分である。この例では、ＨＤＭＩ１端子２３と第２のＰＣ１０２とがＨＤＭＩケーブルＨ１で接続され、画像信号がＨＤＭＩ１端子２３に入力するので、レコードＲ１において接続状態情報は「接続中」、入力状態情報は「信号有り」が記録される。
【手続補正１０】
【補正対象書類名】明細書
【補正対象項目名】００９９
【補正方法】変更
【補正の内容】
【００９９】
＜４-３：変形例３＞
上述した実施形態においては、指示体９０の先端ボタン９２がオンとなった場合に図６に示す処理を実行する構成について説明した。しかし、本発明はこのような構成に限定されるものではなく、例えばツールバー２０１に操作モードにおける位置情報ＰＳの出力先の設定を行うボタンを表示させ、当該ボタンが操作された際に、図６に示すステップＳ２０以降の処理を実行するようにしてもよい。